(57)【要約】  【課題】上下方向に化粧板を備えた扉体において、意匠性を高めるとともに、組立性がよく部品点数の少ない冷蔵庫用扉体を提供する。  【解決手段】化粧板１６は、扉面材１１の横方向の間でヒンジ部とは逆側の左端面近傍で一部扉面材１１を残した位置に縦長に配置し、さらに化粧板１６の上下端部が冷蔵室扉１０の上下方向の端面の上キャップドア１２と、下キャップドア１３まで位置することを可能とするために、化粧板１６の背面には化粧板１６を嵌合固定するためのハンドル機能を備えたベースハンドル１４が配置され、化粧板１６およびベースハンドル１４は冷蔵室扉１０の上下方向の端面まで配置する構成としているので、上下方向に化粧板を備えた扉体において、化粧板１６と上キャップドア１２と下キャップドア１３との一体感を持たせられ、すっきりとした意匠性の高い冷蔵庫の扉を提供することができる。【選択図】図２
2006046793.tif 000002
【特許請求の範囲】
【請求項１】
扉面材と内板と上下キャップドアと発泡断熱材とからなる扉体において、化粧板は扉面材間に位置し、前記化粧板の上下端部が扉体の上下方向の端面まで配置するために、化粧板の背面には前記化粧板を嵌合固定するためのハンドル機能を備えたベースハンドルが配置され、前記化粧板および前記ベースハンドルは扉の上下方向の端面まで配置していることを特徴とする冷蔵庫用扉体。
【請求項２】
手掛け用凹部を備えた扉面材の一部にベースハンドルの固定用穴を設けて、ベースハンドルに設けられた凸形状を前記固定用穴に挿入し、ベースハンドルと固定用穴とをシールするシールハンドルは固定用穴に対して嵌合形状にてハンドル側辺、上辺、下辺をシール固定することを特徴とする請求項１に記載の冷蔵庫用扉体。
【請求項３】
ベースハンドルのシールハンドルとの固定部以外は周縁に一定幅の凸部を設け、扉面材とのシール面としたことを特徴とする請求項２に記載の冷蔵庫用扉体。
【請求項４】
化粧板の上部端面固定は、上キャップドアに設けたコの字形状に、化粧板の挿入固定用リブを差し込む仕様としたことを特徴とした請求項１から３のいずれか一項に記載の冷蔵庫用扉体。
【請求項５】
扉面材の上部端面に凹み形状を設け、上キャップドアもそれに沿わす形状とすることにより、上キャップドアに設けたコの字形状を扉面材の基本面より低い位置とすることを特徴とする請求項４記載の冷蔵庫用扉体。
【請求項６】
化粧板の下部端面固定は、下キャップドア正面に設けた穴形状に、化粧板に設けたビス固定用リブを挿入し、扉下面よりビス固定する仕様としたことを特徴とする請求項１から５のいずれか一項に記載の冷蔵庫用扉体。
【発明の詳細な説明】
【技術分野】
【０００１】
本発明は、化粧板を備えた冷蔵庫用扉体に関するものである。
【背景技術】
【０００２】
近年、冷蔵庫の扉に、庫内温度の操作パネル等の機能を持ち、意匠性を高めるために様々な表面処理をした化粧板を備えた冷蔵庫が数多く発売されている（例えば、特許文献１参照）。
【０００３】
図８は、特許文献１に記載された従来の冷蔵庫扉を示すものである。図８に示すように扉本体を形成し一側辺に手掛け用凹部およびパネルベース取付け用の切り欠き部を形成した扉面材１と、断熱材を閉塞する上扉キャップ２と下扉キャップ３と、前記切り欠き部に嵌合するパネルベース４と、パネルベースを扉面材側へ押圧し隙間をシールする上ベースキャップ５と下ベースキャップ６より構成されている。化粧板７は前記パネルベース４の前方にパネルベース４を覆う構造をとっている。
【特許文献１】特開２００４−１１６７８８号公報
【発明の開示】
【発明が解決しようとする課題】
【０００４】
上記従来の冷蔵庫扉は扉面材の片側端面に切り欠きを設けてあり、パネルベースが上下方向の中央に取付けられ、化粧板はパネルベースと同じ面積でパネルベース前面に取付けられているものであるが、上記従来の構成では、化粧板は扉の上下端面から離間したものであり、扉の意匠性に劣るという課題を有したものであった。
【０００５】
本発明は、上記従来の課題を解決するもので、上下方向に化粧板を備えた扉体において、意匠性を高めるとともに、組立性がよく部品点数の少ない冷蔵庫用扉体を提供するものである。
【課題を解決するための手段】
【０００６】
上記従来の課題を解決するために、本発明の冷蔵庫用扉体は、化粧板は扉面材間に位置し、前記化粧板の上下端部が扉体の上下方向の端面まで配置するために、化粧板の背面には前記化粧板を嵌合固定するためのハンドル機能を備えたベースハンドルが配置され、前記化粧板および前記ベースハンドルは扉の上下方向の端面まで配置しているものである。
【０００７】
これにより、上下方向に化粧板を備えた扉体において、扉面材間で化粧板が扉の上下方向の端面まで確実に配置することができ、組立性も高めることができる。
【発明の効果】
【０００８】
本発明の冷蔵庫用扉体は、上下方向に化粧板を備えた扉体において、扉面材間で化粧板が扉の上下方向の端面まで確実に配置することができ、意匠性を高めるとともに、組立性がよく低コスト化を図った冷蔵庫用扉体を提供することができる。
【発明を実施するための最良の形態】
【０００９】
請求項１に記載の発明は、扉面材と内板と上下キャップドアと発泡断熱材とからなる扉体において、化粧板は扉面材間に位置し、前記化粧板の上下端部が扉体の上下方向の端面まで配置するために、化粧板の背面には前記化粧板を嵌合固定するためのハンドル機能を備えたベースハンドルが配置され、前記化粧板および前記ベースハンドルは扉の上下方向の端面まで配置しているものであり、上下方向に化粧板を備えた扉体において、扉面材間で化粧板が扉の上下方向の端面まで配置しても外観的に隙間等が生じることがなく、意匠性を高めるとともに、組立性がよく低コスト化を図ることができる。
【００１０】
請求項２に記載の発明は、請求項１に記載の発明において、手掛け用凹部を備えた扉面材の一部にベースハンドルの固定用穴を設けて、ベースハンドルに設けられた凸形状を前記固定用穴に挿入し、ベースハンドルと固定用穴とをシールするシールハンドルは固定用穴に対して嵌合形状にてハンドル側辺、上辺、下辺をシール固定するものであり、組立が容易になるとともに、扉面材間にベースハンドルの固定用穴を形成しているため、扉面材の一辺に切り欠き部を形成した固定用穴を有する扉面材と比較すると、製造工程での扉面材の変形を防止でき、歩留りがよくなる。
【００１１】
請求項３に記載の発明は、請求項２に記載の発明において、ベースハンドルのシールハンドルとの固定部以外は周縁に一定幅の凸部を設け、扉面材とのシール面としたものであり、扉面材のラウンド形状や、ベースハンドルの取付け面形状バラツキが生じても扉面材とベースハンドル周縁部は隙間なく嵌合することができる。
【００１２】
請求項４に記載の発明は、請求項１から３のいずれか一項に記載の発明において、化粧板の上部端面固定は、上キャップドアに設けたコの字形状に、化粧板の挿入固定用リブを差し込む仕様としたものであり、上キャップドアと化粧板を隙間なく嵌合することができさらに意匠性が高まる。
【００１３】
請求項５に記載の発明は、請求項４に記載の発明において、扉面材の上部端面に凹み形状を設け、上キャップドアもそれに沿わす形状とすることにより、上キャップドアに設けたコの字形状を扉面材の基本面より低い位置とするものであり、上キャップドアと化粧板との嵌合部の段差を小さくすることができ、上キャップドアと化粧板とが連続した意匠を形成することができる。また、幅方向の規制もしているため、作業者が化粧板を取付ける際に、化粧板の爪位置を確認しながら取付ける必要がなく容易に取付けることができる。
【００１４】
請求項６に記載の発明は、請求項１から５のいずれか一項に記載の発明において、化粧板の下部端面固定は、下キャップドア正面に設けた穴形状に、化粧板に設けたビス固定用リブを挿入し、扉下面よりビス固定する仕様としたものであり、下キャップドアと化粧板との連続性を損なうことなく、化粧板を固定することができる。また、ビスの座を一段高くすることができるため、ビス締め付け後の外観を損なうことなく、さらに意匠性を高めることができる。
【００１５】
以下、本発明の実施の形態について、図面を参照しながら説明する。なお、この実施の形態によってこの発明が限定されるものではない。
【００１６】
（実施の形態１）
図１は、本発明の実施の形態１における冷蔵庫の正面図を示すものである。図２は、同実施の形態１における冷蔵室扉の分解斜視図を示すものである。図３は、図１のＡ−Ａ線断面図である。図４は図１のＢ−Ｂ線断面図である。図５は図１のＣ−Ｃ線断面図である。図６は図１のＤ−Ｄ線断面図である。図７は化粧板取付け前の下キャップドア部斜視図である。
【００１７】
図１において、８は冷蔵庫本体で、貯蔵室は中仕切りにていくつかの部屋に分割されている。最も上部に位置するのは冷蔵室９であり、冷蔵室９の前面には、ヒンジ機構により回転する冷蔵室扉１０が備わっている。
【００１８】
以下、冷蔵室扉１０の基本構成について説明する。図２に示すように、冷蔵室扉１０は、扉面材１１と、上キャップドア１２と、下キャップドア１３と、ベースハンドル１４とシールハンドル１５と、図示していないが内方に貯蔵品を収納するポケットを形成する内板と、ウレタン発泡した後に取付けられる化粧板１６により構成されている。
【００１９】
具体的には、化粧板１６は、扉面材１１の横方向の間でヒンジ部とは逆側の左端面近傍で一部扉面材１１を残した位置に縦長に配置し、さらに化粧板１６の上下端部が冷蔵室扉１０の上下方向の端面の上キャップドア１２と、下キャップドア１３まで位置することを可能とするために、化粧板１６の背面には化粧板１６を嵌合固定するためのハンドル機能を備えたベースハンドル１４が配置され、化粧板１６およびベースハンドル１４は冷蔵室扉１０の上下方向の端面まで配置する構成としている。
【００２０】
また、図２に示すように、扉面材１１は、扉本体を形成し両辺側の端面を折曲して側壁面を形成し、手掛け用凹部１７およびベースハンドルの固定用穴１８を形成している。なお、ベースハンドルの固定用穴１８は扉面材１１を貫通する貫通穴としたもので、端面を開口した切り欠き形状としていないものである。また、扉面材１１の上部端面には凹形状１９が設けられ、下部端面には切り欠き形状２０が設けられている。
【００２１】
また、図３に示すようにベースハンドル１４の背面は扉面材１１に嵌めあわすために部分的に凸形状２１を設けてある。凸形状２１のハンドル側には扉面材１１のベースハンドルの固定用穴１８の周縁部を挟み込むためのリブ２２が設けられ、もう一方の凸形状２１のハンドルとは逆側には一定幅を確保した扉面材１１の乗り面を設けてある。また、図６に示すように、凸形状２１の上下辺にはシールハンドル１５嵌合用にコの字のリブ２３が設けられている。
【００２２】
また、図４に示すように、凸形状２１以外の部分で扉面材１１と接合している面はベースハンドル１４の左右辺であり、ベースハンドル１４のシールハンドル１５との固定部以外の周縁に一定幅の凸部を設け扉面材１１とのシール面とし、周縁の一定幅の凸部の内面は凹形状２４を形成している。
【００２３】
また、図３に示すようにシールハンドル１５には、ベースハンドル１４に設けられたリブ２２に嵌合するためのリブ形状２５と、図６に示すように、ベースハンドル１５の前記凸形状２１上下に設けられたコの字リブ２３に嵌合するためにＴ字リブ２６が設けられている。
【００２４】
また、図５に示すように上キャップドア１２には、扉面材１１の上部端面に設けられた凹形状１９に沿うように立てられたリブ２７と、外観面を形成するリブ２８とでコの字形状２９を形成し、低部を扉面材の基本面より低い位置としている。
【００２５】
また、図６、７に示すように下キャップドア１３には、正面より開けられた穴形状３０が設けられている。本穴形状３０は下キャップドア１３の下面から空けられたビス固定用穴３１と連結している。下キャップドア１３の扉面材挿入用溝３２は前記正面より空けられた穴形状３０と貫通しないようにて形成されている。
【００２６】
また、図４に示すように化粧板１６の左右端には、ベースハンドル１４を左右から抱え込む爪形状３３が設けられ、図５に示すように、上端には挿入固定用リブ３４が設けられている。また、図６に示すように、化粧板１６の下端より一定の距離には穴形状を有したビス固定用リブ３５が設けられている。
【００２７】
次に、冷蔵室扉１０の組立手順について説明する。まず、扉面材１１に設けた固定用穴１８の手掛け用凹部１７側に、ベースハンドル１４のリブ２２を扉正面側から差込み、ベースハンドル１４の凸形状２１を扉面材１１の固定用穴１８にはめ込み、両面テープに張られている箇所を扉面材１１に貼り付け固定する。次に、シールハンドル１５の上下に設けられたＴ字リブ２６を、ベースハンドル１４の上下に設けられたコの字リブ２３に合わせ、ベースハンドル１４のリブ２２にシールハンドル１５のリブ２５が嵌合するまで挿入する。これにより、扉面材１１とベースハンドル１４はウレタンもれなく嵌合することができる。ベースハンドル１４固定後に扉面材１１を上キャップドア１２と下キャップドア１３に差し込む。
【００２８】
次に内板と嵌合し一体発泡する。化粧板１６は上部に設けられた挿入固定用リブ３４を、上キャップドア１２に形成されたコの字形状２９に挿入し、左右辺に設けられた爪形状３３をベースハンドル１４に掛けていく。最後に、図６に示すように１下キャップドア１３に空けられた穴形状３０にビス固定用リブ３５を挿入し、扉の下面よりビスにて固定する。
【００２９】
以上のように、本実施の形態においては、化粧板１６は、扉面材１１の横方向の間でヒンジ部とは逆側の左端面近傍で一部扉面材１１を残した位置に縦長に配置し、さらに化粧板１６の上下端部が冷蔵室扉１０の上下方向の端面の上キャップドア１２と、下キャップドア１３まで位置することを可能とするために、化粧板１６の背面には化粧板１６を嵌合固定するためのハンドル機能を備えたベースハンドル１４が配置され、化粧板１６およびベースハンドル１４は冷蔵室扉１０の上下方向の端面まで配置する構成としているので、上下方向に化粧板を備えた扉体において、扉面材間で化粧板が扉の上下方向の端面まで配置しても外観的に隙間等が生じることがなく、化粧板１６と上キャップドア１２と下キャップドア１３との一体感を持たせられ、さらに扉の左右端面はどちらも扉面材１１にて構成することができるため、すっきりとした意匠性の高い冷蔵庫の扉を提供することができる。また組立性がよく低コスト化を図ることができる。
【００３０】
また、扉面材１１は、扉本体を形成し両辺側の端面を折曲して側壁面を形成し、手掛け用凹部１７およびベースハンドルの固定用穴１８を形成し、ベースハンドル１４の背面に部分的に設けた凸形状２１を固定用穴１８に挿入したのち、シールハンドル１５にてハンドル側辺、上辺、下辺をシールし、その他の部分は両面テープにて固定することにより、発泡時のウレタン漏れがなく、扉面材１１との隙間のない扉を構成することができる。
【００３１】
また、凸形状２１以外の部分で扉面材１１と接合している面はベースハンドル１４の左右辺であり、ベースハンドル１４のシールハンドル１５との固定部以外の周縁に一定幅の凸部を設け扉面材１１とのシール面とし、周縁の一定幅の凸部の内面は凹形状２４を形成しているので、扉面材のラウンド形状や、ベースハンドルの取付け面形状バラツキが生じても扉面材とベースハンドル周縁部は隙間なく嵌合することができる。
【００３２】
また、上キャップドア１２には、扉面材１１の上部端面に設けられた凹形状１９に沿うように立てられたリブ２７と、外観面を形成するリブ２８とでコの字形状２９を形成し、低部を扉面材の基本面より低い位置としているので、上キャップドアと化粧板を隙間なく嵌合することができさらに意匠性が高まる。また、コの字形状２９が幅方向の規制もしているため、作業者が化粧板を取付ける際に、化粧板の爪位置を確認しながら取付ける必要がなく容易に取付けることができる。
【００３３】
また、下キャップドア１３に設けられた穴形状３０にビス固定用リブ３５を差込み扉下方向よりビスにて固定する構成とすることにより、下キャップドアと化粧板との連続性を損なうことなく、化粧板を固定することができる。また、ビスの座を一段高くすることができるため、ビス締め付け後の外観を損なうことなく、さらに意匠性を高めることができる。
【産業上の利用可能性】
【００３４】
以上のように、本発明にかかる化粧板は、高い品位の要求される外観化粧板に用いることができるため、断熱扉を備えた食品貯蔵庫等にも適用できる。
【図面の簡単な説明】
【００３５】
【図１】本発明の実施の形態１における冷蔵庫の正面図
【図２】同実施の形態１における冷蔵室扉の分解斜視図
【図３】同実施の形態１における図１のＡ−Ａ線断面図
【図４】同実施の形態１における図１のＢ−Ｂ線断面図
【図５】同実施の形態１における図１のＣ−Ｃ線断面図
【図６】同実施の形態１における図１のＤ−Ｄ線断面図
【図７】同実施の形態１における化粧板取付け前の下キャップドア部斜視図
【図８】従来の冷蔵室扉の分解斜視図
【符号の説明】
【００３６】
８    冷蔵庫本体
９    冷蔵室
１０  冷蔵室扉
１１  扉面材
１２  上キャップドア
１３  下キャップドア
１４  ベースハンドル
１５  シールハンドル
１６  化粧板
１７  手掛け用凹部
１８  固定用穴
１９  凹形状（扉面材）
２１  凸形状（ベースハンドル）
２９  コの字形状
３０  穴形状
３５  ビス固定用リブ
【図１】
2006046793.tif 000003
【図２】
2006046793.tif 000004
【図３】
2006046793.tif 000005
【図４】
2006046793.tif 000006
【図５】
2006046793.tif 000007
【図６】
2006046793.tif 000008
【図７】
2006046793.tif 000009
【図８】
2006046793.tif 000010